(57)【要約】【課題】よりユーザビリティの高い熱線センサ付自動スイッチシステムを提供する。【解決手段】熱線センサ部１と、第１入力判別部２と、信号受信部３と、照明負荷５２の点灯／消灯を制御する制御部４と、制御部４からの制御信号に基づいて照明負荷５２を入切する開閉器５とを備えた熱線センサ付自動スイッチ１０と、第２入力判別部２２と、第２入力判別部２２に基づいて伝達信号を送信する信号送信部２３とを備えた操作子器２０と、を有する熱線センサ付自動スイッチシステム３０であり、制御部４は、伝達信号に応じて照明負荷５２を点灯状態にさせ所定の点灯保持時間の経過後に消灯状態にさせ、照明負荷５２が点灯状態中に、熱線センサ部１からのセンサ信号が入力されると、センサ信号が入力されてから所定の点灯保持時間後に消灯状態にさせる。【選択図】図１
2015164107.tif 000002
【特許請求の範囲】
【請求項１】
熱線センサ付自動スイッチと、操作子器とを有する熱線センサ付自動スイッチシステムであって、
前記熱線センサ付自動スイッチは、人体から発せられる熱線を検出する熱線センサ部と、手動にて操作される第１操作スイッチの操作の有無を判別する第１入力判別部と、操作子器からの伝達信号を受信する信号受信部と、前記熱線センサ部からのセンサ信号と前記第１入力判別部からの判別信号と前記信号受信部が受信した前記伝達信号とに基づいて照明負荷の点灯／消灯を制御する制御信号を出力する制御部と、該制御部からの前記制御信号に基づいて前記照明負荷への電力の供給を入切する開閉器とを備え、
前記操作子器は、手動にて操作される第２操作スイッチの操作の有無を判別する第２入力判別部と、該第２入力判別部からの操作信号に基づいて前記熱線センサ付自動スイッチへ前記伝達信号を送信する信号送信部とを備えており、
前記制御部は、前記操作子器からの前記伝達信号に応じて前記照明負荷を点灯状態にさせ所定の点灯保持時間の経過後に消灯状態にさせるように前記開閉器を制御し、かつ前記点灯保持時間中に、前記熱線センサ部からの前記センサ信号が入力されると、該センサ信号が入力されてから所定の点灯保持時間後に消灯状態にさせるように前記開閉器を制御することを特徴とする熱線センサ付自動スイッチシステム。
【請求項２】
センサ子器を更に備え、
該センサ子器は、人体の存在の有無を検出する第２熱線センサ部と、該第２熱線センサ部からの第２センサ信号に基づいて前記熱線センサ付自動スイッチへ検出信号を送信する検出信号送信部とを備えており、
前記制御部は、前記センサ子器からの前記検出信号に応じて前記照明負荷を点灯状態にさせ所定の点灯保持時間の経過後に消灯状態にさせるように前記開閉器を制御し、かつ前記点灯保持時間中に、前記センサ信号または前記検出信号が入力されると、該センサ信号または前記検出信号が入力されてから所定の点灯保持時間後に消灯状態にさせるように前記開閉器を制御することを特徴とする請求項１に記載の熱線センサ付自動スイッチシステム。
【発明の詳細な説明】
【技術分野】
【０００１】
本発明は、熱線を検知して、照明負荷の点灯／消灯を制御する熱線センサ付自動スイッチシステムに関する。
【背景技術】
【０００２】
従来、照明負荷の点灯／消灯を制御するため、熱線センサ付自動スイッチが使用されている。この種の熱線センサ付自動スイッチでは、自動点灯中の場合、熱線センサが人を検知すると、動作保持時間の間、照明負荷を点灯させる（たとえば、特許文献１を参照）。
【０００３】
特許文献１の熱線センサ付自動スイッチでは、操作ハンドルへの押操作によって、照明負荷の連続点灯、自動点灯、強制消灯の動作モードを切り替える。
【０００４】
また、熱線センサ付自動スイッチシステムとして、複数の照明負荷と接続する熱線センサ付スイッチと、子器および外部機器とを備えた照明システムが知られている（特許文献２を参照）。
【０００５】
特許文献２の照明システムでは、各照明負荷は、商用電源からの電力が熱線センサ付スイッチを介して供給されると点灯する。子器は、熱線センサ付スイッチの熱線センサと同様の機能を有する熱線センサを備え、熱線センサ付スイッチに接続されている。また、外部機器は、ユーザの操作に基づく外部信号を出力する。熱線センサ付スイッチは、外部信号に基づいて各照明負荷を点灯及び消灯させる。
【先行技術文献】
【特許文献】
【０００６】
【特許文献１】特開２００８−１０９５１１号公報
【特許文献２】特開２００６−３３１８９０号公報
【発明の概要】
【発明が解決しようとする課題】
【０００７】
ところで、特許文献１の熱線センサ付自動スイッチでは、たとえば、玄関に熱線センサ付自動スイッチが設置されている場合、人が玄関に近づくまでの途中の廊下において、照明負荷が消灯状態となったままの場合がある。また、特許文献１の熱線センサ付自動スイッチでは、自動点灯と強制消灯とを切り替えるため、熱線センサ付自動スイッチの操作ハンドル自体を操作しなければならない。さらに、特許文献１の熱線センサ付自動スイッチでは、一度、強制消灯の動作モードに切り替えると、照明負荷の消灯状態が継続された状態となり、ユーザビリティが悪い場合があった。また、上述の特許文献２の照明システムでは、ユーザの外部機器への操作により、照明負荷の点灯および消灯を制御することが記載されているにしかすぎない。上述の特許文献１の熱線センサ付自動スッチや上述の特許文献２の照明システムの構成では、ユーザビリティを考慮した上で、不要な電力消費が行われることを抑制することは記載されていない。
【０００８】
熱線センサ付自動スイッチシステムは、より高いユーザビリティが求められており、上述の特許文献１の熱線センサ付自動スイッチや特許文献２の照明システムの構成だけでは十分ではなく、更なる改良が求められている。
【０００９】
本発明は上記事由に鑑みて為されたものであり、その目的は、よりユーザビリティの高い熱線センサ付自動スイッチシステムを提供することにある。
【課題を解決するための手段】
【００１０】
本発明の熱線センサ付自動スイッチシステムは、熱線センサ付自動スイッチと、操作子器とを有している。上記熱線センサ付自動スイッチは、熱線センサ部と、第１入力判別部と、信号受信部と、制御部と、開閉器とを備えている。上記熱線センサ部は、人体から発せられる熱線を検出してセンサ信号を出力する。上記第１入力判別部は、手動にて操作される第１操作スイッチの操作の有無を判別する。上記信号受信部は、上記操作子器からの伝達信号を受信する。上記制御部は、上記熱線センサ部からのセンサ信号と上記第１入力判別部からの判別信号と上記信号受信部が受信した上記伝達信号とに基づいて照明負荷の点灯／消灯を制御する制御信号を出力する。上記開閉器は、上記制御部からの上記制御信号に基づいて上記照明負荷への電力の供給を入切する。上記操作子器は、第２入力判別部と、信号送信部とを備えている。上記第２入力判別部は、手動にて操作される第２操作スイッチの操作の有無を判別する。上記信号送信部は、上記第２入力判別部からの操作信号に基づいて上記熱線センサ付自動スイッチへ上記伝達信号を送信する。上記熱線センサ付自動スイッチの上記制御部は、上記操作子器からの上記伝達信号に応じて上記照明負荷を点灯状態にさせ所定の点灯保持時間の経過後に消灯状態にさせるように上記開閉器を制御する。上記制御部は、上記照明負荷が点灯状態中に、上記熱線センサ部からの上記センサ信号が入力されると、当該センサ信号が入力されてから所定の点灯保持時間後に消灯状態にさせるように上記開閉器を制御する。
【００１１】
この熱線センサ付自動スイッチシステムにおいて、センサ子器を更に備えていることが好ましい。当該センサ子器は、第２熱線センサ部と、検出信号送信部とを備えている。上記第２熱線センサ部は、人体の存在の有無を検出する。上記検出信号送信部は、上記第２熱線センサ部からの第２センサ信号に基づいて上記熱線センサ付自動スイッチへ検出信号を送信する。上記制御部は、上記センサ子器からの上記検出信号に応じて上記照明負荷を点灯状態にさせ所定の点灯保持時間の経過後に消灯状態にさせるように上記開閉器を制御する。上記制御部は、上記点灯保持時間中に、上記センサ信号または上記検出信号が入力されると、上記センサ信号または上記検出信号が入力されてから点灯保持時間後に消灯状態にさせるように上記開閉器を制御することが好ましい。
【発明の効果】
【００１２】
本発明の熱線センサ付自動スイッチシステムは、伝達信号に応じて照明負荷が点灯状態中にセンサ信号が入力されると、センサ信号が入力されてから所定の点灯保持時間後に消灯状態とすることで、よりユーザビリティを高くすることが可能になるという効果がある。
【図面の簡単な説明】
【００１３】
【図１】図１は、実施形態１の熱線センサ付自動スイッチシステムを示すブロック図である。
【図２】図２は、実施形態１の熱線センサ付自動スイッチシステムの動作説明図である。
【図３】図３は、実施形態１における熱線センサ付自動スイッチの斜視説明図である。
【図４】図４は、実施形態１における熱線センサ付自動スイッチの正面説明図である。
【図５】図５は、実施形態１における熱線センサ付自動スイッチを説明する分解斜視図である。
【図６】図６は、実施形態１における熱線センサ付自動スイッチの要部を示す正面説明図である。
【図７】図７は、実施形態１における熱線センサ付自動スイッチの別の要部を示す正面説明図である。
【図８】図８は、実施形態１における熱線センサ付自動スイッチの別の要部を示す側面説明図である。
【図９】図９は、実施形態１における熱線センサ付自動スイッチの背面説明図である。
【図１０】図１０は、図４の熱線センサ付自動スイッチにおけるＡＡ断面図である。
【図１１】図１１は、図１０の熱線センサ付自動スイッチの破線で囲んだ部分の拡大図である。
【図１２】図１２は、図４の熱線センサ付自動スイッチにおけるＢＢ断面図である。
【図１３】図１３は、図１２の熱線センサ付自動スイッチの破線で囲んだ部分の拡大図である。
【図１４】図１４は、実施形態１における熱線センサ付自動スイッチの要部を示す背面図である。
【図１５】図１５は、実施形態１における操作子器の斜視説明図である。
【図１６】図１６は、実施形態２の熱線センサ付自動スイッチシステムを示すブロック図である。
【図１７】図１７は、実施形態２におけるセンサ子器の斜視説明図である。
【発明を実施するための形態】
【００１４】
（実施形態１）
本実施形態の熱線センサ付自動スイッチシステム３０について、図１および図２に基づいて説明する。本実施形態における熱線センサ付自動スイッチ１０については、図１、図３ないし図１４に基づいて説明する。本実施形態における操作子器２０については、図１および図１５に基づいて説明する。なお、図中において、同じ部材に対しては、同じ番号を付して重複する説明を省略する。
【００１５】
本実施形態の熱線センサ付自動スイッチシステム３０は、図１に示すように、熱線センサ付自動スイッチ１０と、操作子器２０とを有している。以下において、本実施形態の熱線センサ付自動スイッチシステム３０は、システム３０とも称する。また、熱線センサ付自動スイッチ１０は、スイッチ親器１０とも称する。
【００１６】
スイッチ親器１０は、熱線センサ部１と、第１入力判別部２と、信号受信部３と、制御部４と、開閉器５とを備えている。熱線センサ部1は、人体から発せられる熱線を検出してセンサ信号を出力する。第１入力判別部２は、手動にて操作される第１操作スイッチ２ａの操作の有無を判別する。信号受信部３は、操作子器２０からの伝達信号を受信する。制御部４は、熱線センサ部１からのセンサ信号と第１入力判別部２からの判別信号と信号受信部３が受信した伝達信号とに基づいて照明負荷５２の点灯／消灯を制御する制御信号を出力する。開閉器５は、制御部４からの制御信号に基づいて照明負荷５２への電力の供給を入切する。
【００１７】
操作子器２０は、第２入力判別部２２と、信号送信部２３とを備えている。第２入力判別部２２は、手動にて操作される第２操作スイッチ２２ａの操作の有無を判別する。信号送信部２３は、第２入力判別部２２からの操作信号に基づいてスイッチ親器１０へ伝達信号を送信する。
【００１８】
スイッチ親器１０の制御部４は、操作子器２０からの伝達信号に応じて照明負荷５２を点灯状態にさせ所定の点灯保持時間の経過後に消灯状態にさせるように開閉器５を制御する。制御部４は、照明負荷５２が点灯状態中に、熱線センサ部１からのセンサ信号が入力されると、センサ信号が入力されてから所定の点灯保持時間後に消灯状態にさせるように開閉器５を制御する。
【００１９】
これにより、システム３０は、よりユーザビリティを高くすることが可能になる。
【００２０】
以下、システム３０のより具体的な構成について説明する。
【００２１】
システム３０では、図３ないし図１４に示すスイッチ親器１０が、取付枠１７に取り付けられ、建築物の壁面などの施工面（図示していない）に設置される。スイッチ親器１０は、施工面を構成する造営材に埋込配設される器体１１を備えている。
【００２２】
器体１１は、外形形状を直方体状としている。器体１１は、有底角筒状のボディ体１１ａと、有底角筒状のカバー体１１ｂとで構成している。器体１１は、ボディ体１１ａとカバー体１１ｂとを嵌め合わせて内部が空洞な箱体としている。器体１１は、熱線センサ部１、第１入力判別部２、制御部４、開閉器５や発光ダイオード６ａを内部に収納可能に構成している。なお、スイッチ親器１０は、器体１１の寸法を埋込型配線器具の１個のモジュールの３個分に相当する１連モジュールの大きさとしている。器体１１は、正面視が長方形状の器体１１の短手方向の寸法を、埋込配線器具用の取付枠１７における第１窓孔１７ａａの短手方向の寸法より若干小さい大きさとしている。
【００２３】
ボディ体１１ａは、カバー体１１ｂと嵌め合わせるための係合突起部１１ａｃを備えている。係合突起部１１ａｃは、ボディ体１１ａの上下（図５の紙面の上下）それぞれの短手方向に沿って２個１組で設けている。ボディ体１１ａは、電気絶縁性の樹脂材料により形成している。ボディ体１１ａは、電気絶縁性の樹脂材料として、たとえば、ＡＢＳ(acrylonitrile butadiene styrene copolymer)樹脂やユリア樹脂などを用いることができる。ボディ体１１ａは、たとえば、加熱溶融させた電気絶縁性の樹脂材料を金型内に射出注入し、冷却固化させる射出成形により形成することができる。
【００２４】
スイッチ親器１０は、図示していない電線により、操作子器２０、商用電源５１や照明負荷５２と電気的に接続される。スイッチ親器１０は、図５に示すように、電線が接続される端子１１ｃを備えている。ボディ体１１ａは、端子１１ｃを収納する。端子１１ｃは、電線にばねの力を付与する錠ばね１１ｃａと、錠ばね１１ｃａを収容する端子板１１ｃｂとを備えている。端子１１ｃは、電線が挿入されると、電線と電気的に接続し端子板１１ｃｂと錠ばね１１ｃａとで電線を固定できるように構成している。錠ばね１１ｃａは、金属材料により構成された板材の折り曲げ加工により形成することができる。錠ばね１１ｃａの金属材料としては、たとえば、銅や銅合金などを用いることができる。同様に、端子板１１ｃｂは、金属材料により構成された板材の折り曲げ加工により形成することができる。端子板１１ｃｂの金属材料としては、たとえば、銅や銅合金などを用いることができる。端子１１ｃは、絶縁被覆が剥がされた電線における芯線が挿入されることで、電線との電気的接続および機械的接続が行われる速結端子を構成している。また、ボディ体１１ａは、電線を速結端子から解放する釦１１ｃｃを備えている。スイッチ親器１０では、図９に示す器体１１の背面から図示していない治具により釦１１ｃｃを押し圧することで、釦１１ｃｃが錠ばね１１ｃａを変形させる。スイッチ親器１０では、錠ばね１１ｃａの変形により、電線を器体１１から抜くことができるように端子１１ｃを構成している。なお、端子１１ｃは、後述する第１電源端子１１ｃ１、第２電源端子１１ｃ２、第１負荷端子１１ｃ４、第２負荷端子１１ｃ３、第１接続端子１１ｃ５や第２接続端子１１ｃ６を構成している。
【００２５】
カバー体１１ｂは、カバー体１１ｂの上下（図５の紙面の上下）それぞれの短手方向に沿って、ボディ体１１ａ側に突出する一対の突出片１１ｂｃ，１１ｂｃを備えている。突出片１１ｂｃは、有底角筒状のカバー体１１ｂにおける筒状部位に対して弾性変形が可能な構成としている。カバー体１１ｂは、筒状部位と突出片１１ｂｃとを一体成形により形成することができる。突出片１１ｂｃは、外形がＣ字状とし、筒状部位から突出して外部に露出する部位に係合孔１１ｂｆを形成している。カバー体１１ｂは、突出片１１ｂｃの係合孔１１ｂｆと、ボディ体１１ａの係合突起部１１ａｃとを嵌め合わせ可能に構成している。
【００２６】
カバー体１１ｂは、短手方向における側壁１１ｂｂに、側壁１１ｂｂから突出する取付爪１１ｂｄを備えている。カバー体１１ｂは、取付枠１７の器具取付孔１７ａｂと、取付爪１１ｂｄとを嵌め合わせ可能としている。カバー体１１ｂは、側壁１１ｂｂにおいて、一対の取付爪１１ｂｄ，１１ｂｄが突設された部位の両側部に、切込溝１１ｂｇ，１１ｂｇを厚み方向に沿って設けている。カバー体１１ｂは、一対の取付爪１１ｂｄ，１１ｂｄの間の部位に、厚み方向に可撓性を有する撓み片１１ｂｅを設けている。カバー体１１ｂは、撓み片１１ｂｅを器体１１の内部に撓ませることが可能に構成している。カバー体１１ｂは、電気絶縁性の樹脂材料により形成している。カバー体１１ｂは、電気絶縁性の樹脂材料として、たとえば、ＡＢＳ樹脂やユリア樹脂などを用いて形成することができる。カバー体１１ｂは、たとえば、加熱溶融させた電気絶縁性の樹脂材料を金型内に射出注入し、冷却固化させる射出成形により形成することができる。
【００２７】
取付枠１７は、対向する一対の側片１７ａ，１７ａと、対向する一対の枠片１７ｂ，１７ｂとで枠状に形成している。側片１７ａは、器体１１を取り付け可能な器具取付孔１７ａｂを備えている。取付枠１７は、カバー体１１ｂの取付爪１１ｂｄを器具取付孔１７ａｂに嵌め合わせることにより、器体１１を取付枠１７に保持することができる。器体１１は、器体１１を取付枠１７に取り付ける際、たとえば、カバー体１１ｂの一方の側壁１１ｂｂの取付爪１１ｂｄを、取付枠１７の一方の器具取付孔１７ａｂに挿入する。次に、器体１１は、他方の側壁１１ｂｂの取付爪１１ｂｄを、カバー体１１ｂの内側に撓むようにして、取付枠１７の第１窓孔１７ａａにカバー体１１ｂを挿入する。器体１１は、取付枠１７に埋め込まれるように挿入した後、カバー体１１ｂの他方の側壁１１ｂｂの取付爪１１ｂｄを、取付枠１７の他方の器具取付孔１７ａｂに挿入する。器体１１は、取付爪１１ｂｄが器具取付孔１７ａｂに挿入されることにより、取付枠１７に保持される。また、スイッチ親器１０においては、器体１１を取付枠１７から取り外す場合、撓み片１１ｂｅをカバー体１１ｂの内側に押し込むようにする。スイッチ親器１０は、撓み片１１ｂｅの撓みにより、取付爪１１ｂｄが器具取付孔１７ａｂから抜けて取付枠１７から器体１１を取り外すことができる。
【００２８】
なお、取付枠１７は、図３や図５で示すように、長孔１７ａｃを枠片１７ｂに備えている。長孔１７ａｃには、図示していない固定螺子が挿通される。取付枠１７は、長孔１７ａｃに挿通された固定螺子が、たとえば、施工面に埋設された埋込ボックス（図示していない）のねじ部に螺合されることにより、施工面側に固定される。また、取付枠１７は、図３や図５で示すように、枠片１７ｂにプレート螺子用のねじ孔１７ａｄを備えている。取付枠１７は、図示していないが、取付枠１７の表面側で、矩形枠状のプレート枠（図示していない）と、プレート螺子（図示していない）を用いてねじ止めすることができる。取付枠１７は、器体１１を取り付けることができれば、種々の形状とすることができる。取付枠１７は、たとえば、樹脂体や金属体で構成することができる。
【００２９】
スイッチ親器１０は、照明負荷５２の点灯と消灯とを制御可能な回路部１６を器体１１の内部に収納している。回路部１６は、第１の回路基板１６ａと、第２の回路基板１６ｃとを備えている。第１の回路基板１６ａは、外形形状を矩形の平板状としている。第１の回路基板１６ａは、プリント配線板により形成することができる。回路部１６は、平板状の絶縁板１６ｂを介して、第１の回路基板１６ａと、第２の回路基板１６ｃとを対向して配置している。回路部１６は、第１の回路基板１６ａと第２の回路基板１６ｃとを図示していない導体などにより電気的に接続している。第２の回路基板１６ｃは、外形形状を矩形の平板状としている。第２の回路基板１６ｃは、プリント配線板などにより形成することができる。
【００３０】
回路部１６は、たとえば、熱線センサ部１、第１入力判別部２、信号受信部３、制御部４や発光ダイオード６ａを第１の回路基板１６ａに備えた構成とすることができる。第１の回路基板１６ａは、信号受信部３を構成する電子部品１６ａａを実装している。また、第１の回路基板１６ａは、制御部４を構成する電子部品１６ａａを実装している。第１の回路基板１６ａは、複数個（ここでは、３個）の発光ダイオード６ａを実装している。第１の回路基板１６ａは、手動操作部２ａ１で押駆動される操作子２ａｃを有するスイッチ本体２ａａを実装している。第１の回路基板１６ａは、明るさセンサ１ｓを構成するフォトダイオードを実装している。さらに、第１の回路基板１６ａは、ヒューズ、異常発熱抑制のための温度ヒューズや漏電防止用のリレーなどの各種の電子部品１６ａａを実装してもよい。第１の回路基板１６ａには、図示していない所定形状の配線を形成しており、各種の電子部品１６ａａと電気的に接続できるように構成している。また、回路部１６は、たとえば、直流安定化電源４ｃや開閉器５を第２の回路基板１６ｃに備えた構成とすることができる。直流安定化電源４ｃは、照明負荷５２を点灯するために好適に設けられている。第２の回路基板１６ｃは、開閉器５として、主スイッチ素子を構成する開閉素子５ａと、開閉素子５ａの駆動を制御する開閉駆動部５ｂとを実装している。開閉素子５ａは、双方向３端子サイリスタを用いて構成することができる。開閉駆動部５ｂは、制御信号により開閉素子５ａのオンオフ制御が可能に構成している。開閉器５は、主スイッチ素子を半導体スイッチ素子とする電子スイッチの他、可動接点および固定接点を備えた機械スイッチなどにより構成してもよい。第２の回路基板１６ｃは、直流安定化電源４ｃを構成する電子部品１６ａａを実装している。第２の回路基板１６ｃには、図示していない所定形状の配線を形成している。
【００３１】
熱線センサ部１は、赤外線センサ１ａを用いて構成することができる。赤外線センサ１ａは、第１の回路基板１６ａに実装している。赤外線センサ１ａは、たとえば、人体から発せられる熱線を検出する。なお、熱線は、赤外領域の電磁波である赤外線である。赤外線センサ１ａは、焦電素子などを有する構成とすればよい。熱線センサ部１は、随時に赤外線を検出する構成でもよいし、予め設定した時間間隔ごとに赤外線を検出する構成としてもよい。言い換えれば、熱線センサ部１は、人体の存在の有無を検知可能な人感センサを構成している。熱線センサ部１は、たとえば、フォトダイオードなどの明るさセンサ１ｓと一体に構成し、明るさセンサ１ｓによって周囲の明るさを検知可能に構成してもよい。
【００３２】
熱線センサ部１は、所定の視野角を確保するために第１操作スイッチ２ａの正面よりも突出した突出部位１ｋを備えている。熱線センサ部１は、円筒状の光学部材１ｒを備えている。光学部材１ｒは、図示していないが、赤外線センサ１ａの検知エリアを広げるためのミラーを有している。熱線センサ部１は、赤外線センサ１ａと光学部材１ｒとを、センサカバー１ａａで覆っている。センサカバー１ａａは、外形が半円筒状としている。熱線センサ部１では、センサカバー１ａａを介して、人体から発せられる熱線を赤外線センサ１ａが検出する。センサカバー１ａａは、赤外線を集光するフレネルレンズを有している。センサカバー１ａａは、たとえば、ポリエチレン樹脂を用いて形成することができる。スイッチ親器１０は、器体１１のカバー体１１ｂと第１の回路基板１６ａとの間で、センサカバー１ａａを挟持し器体１１の内部にセンサカバー１ａａを収納している。
【００３３】
熱線センサ部１は、器体１１のカバー体１１ｂとセンサカバー１ａａとの間に一対のシャッター１ｂ，１ｂを備えている。各シャッター１ｂは、外形が弧状の基部１ｂａと、基部１ｂａの一端から立設する取手部位１ｂｂとを一体に備えている。各シャッター１ｂは、センサカバー１ａａの表面に沿って可動自在に構成している。各シャッター１ｂは、センサカバー１ａａの一部を覆うことができる。各シャッター１ｂは、取手部位１ｂｂを操作することによって、基部１ｂａを移動させることができる。シャッター１ｂは、たとえば、ポリカーボネート樹脂を用いて形成することができる。熱線センサ部１は、各シャッター１ｂの基部１ｂａを移動させることにより、熱線センサ部１が人体を検出する検出領域を調整することができる。スイッチ親器１０は、熱線センサ部１の検出領域を調整して、人体の検知エリアの調整を行うことが可能となる。
【００３４】
第１入力判別部２は、第１操作スイッチ２ａからの出力信号が入力されるように構成している。第１操作スイッチ２ａは、手動操作部２ａ１が手動にて押され、スイッチ本体２ａａのスイッチ動作を行うことができるように構成している。すなわち、手動操作部２ａ１は、手動にて押される第１操作スイッチ２ａの一部を構成している。第１入力判別部２は、第１操作スイッチ２ａが操作されたか否かが判別できればよい。手動操作部２ａ１は、化粧蓋部２ｇ、ハンドル部２ｆ、カバー体１１ｂを用いて構成している。化粧蓋部２ｇは、押し圧操作される一表面２ａｂ側に設けられた透光性部材２ｇ１と、カバー体１１ｂ側に設けられたベース板２ｇ２とを備えている。手動操作部２ａ１は、熱線センサ部１の突出部位１ｋと重なるように設けられた取手部２ａ２を備えている。取手部２ａ２は、指を引き掛けて化粧蓋部２ｇの取り外しを行い易いように引掛凹所２ａ３を設けている。ハンドル部２ｆは、化粧蓋部２ｇを取り外し可能に保持する。スイッチ親器１０は、化粧蓋部２ｇをハンドル部２ｆから取り外すことで、器体１１の第１表面１１ｂｐが外部に露出するように、ハンドル部２ｆに開口部２ｆ１を形成している。また、ハンドル部２ｆは、ハンドル部２ｆの厚み方向に貫通する貫通孔２ｆ３を有している。
【００３５】
透光性部材２ｇ１は、矩形板状の外形形状としている。透光性部材２ｇ１は、透光性の樹脂材料により形成することができる。透光性部材２ｇ１は、透光性の樹脂材料として、たとえば、ポリカーボネート樹脂を用いることができる。化粧蓋部２ｇは、図１０ないし図１４に示すように、透光性部材２ｇ１のハンドル部２ｆ側に光拡散層２ｇ５を有している。光拡散層２ｇ５は、白色顔料を含有させた樹脂を透光性部材２ｇ１にスクリーン印刷することで形成されている。白色顔料としては、たとえば、二酸化ケイ素やチタン酸バリウムなどを用いることができる。光拡散層２ｇ５は、スクリーン印刷により透光性部材２ｇ１に塗布して形成することができる。化粧蓋部２ｇでは、スクリーン印刷により光拡散層２ｇ５を形成するだけでなく、予め形成された光拡散層２ｇ５を構成するシートを透光性部材２ｇ１に貼り付けた構成としてもよい。化粧蓋部２ｇでは、両面テープなどにより、透光性部材２ｇ１をベース板２ｇ２に貼り付けて保持させている。ベース板２ｇ２は、ハンドル部２ｆの貫通孔２ｆ３に対応して設けられた透孔２ｇｃを有している。
【００３６】
手動操作部２ａ１は、図５、図１１および図１４に示すように、化粧蓋部２ｇの四隅に爪部位２ｇ３を備えている。手動操作部２ａ１は、ベース板２ｇ２の爪部位２ｇ３と対応するハンドル部２ｆの位置に係止孔２ｆ２を備えている。化粧蓋部２ｇは、ベース板２ｇ２の爪部位２ｇ３を、ハンドル部２ｆの係止孔２ｆ２に引っ掛けて止められるように、着脱自在に構成している。
【００３７】
カバー体１１ｂは、カバー体１１ｂの上側（図５の紙面の左側）において、平面視が円形状の第３窓孔１１ｂｈおよび第４窓孔１１ｂｉを備えている。カバー体１１ｂは、カバー体１１ｂの中央部において、カバー体１１ｂの短手方向に沿って、平面視が矩形状の第１の筒状突起１１ｂｓを３個備えている。スイッチ親器１０は、第１の筒状突起１１ｂｓの第５窓孔１１ｂｊから発光ダイオード６ａの光を出射する。第１の筒状突起１１ｂｓから出射された発光ダイオード６ａの光は、化粧蓋部２ｇを介して、スイッチ親器１０の外部に放射される。カバー体１１ｂは、カバー体１１ｂの下側（図５の紙面の右側）において、カバー体１１ｂにおける第１表面１１ｂｐ側から外方に突出する突台部１１ｂｋを備えている。カバー体１１ｂは、突台部１１ｂｋに開口１１ｂｍを備えている。
【００３８】
さらに、カバー体１１ｂは、手動操作部２ａ１のハンドル部２ｆを回転可能に取り付けるため、カバー体１１ｂにおける第１表面１１ｂｐの一方の側壁側（図５の紙面の下側）で突出した軸部１１ｂｎを備えている。軸部１１ｂｎは、カバー体１１ｂの長手方向に沿って円柱状に形成している。カバー体１１ｂは、図５、図１２および図１４に示すように、カバー体１１ｂの軸部１１ｂｎが金属製の板ばね２ｄにより手動操作部２ａ１のハンドル部２ｆ側に押し圧される。言い換えれば、手動操作部２ａ１は、ハンドル部２ｆと板ばね２ｄとでカバー体１１ｂの軸部１１ｂｎを狭持して、器体１１に保持されている。また、カバー体１１ｂは、平面視において、カバー体１１ｂの第１表面１１ｂｐにおける中央部で端部が保持され、他端側（図５の紙面の上側）がＴ字状となるように周部が切り欠かれた撓み部１１ｂｒを備えている。撓み部１１ｂｒは、ハンドル部２ｆからの押し圧により、器体１１の内部に撓むように構成している。
【００３９】
第１操作スイッチ２ａは、手動操作部２ａ１におけるハンドル部２ｆの一端部が器体１１に支持され他端部が回動自在に押操作可能なピアノハンドルとなっている。すなわち、第１操作スイッチ２ａは、ピアノハンドル式のスイッチを構成している。ピアノハンドル式のスイッチは、スイッチ本体２ａａの前面側に取り付けられたピアノハンドルを、ピアノハンドルの一方側を支点にして他方側が押圧して回転される構成としている。ピアノハンドルは、スイッチ本体２ａａの操作子２ａｃを押圧作動可能なスイッチの一部を構成している。ピアノハンドル式のスイッチは、ピアノハンドルへのピアノタッチでスイッチ操作を行うことができる。
【００４０】
手動操作部２ａ１は、図１２に示すように、Ｔ字状の撓み部１１ｂｒと、操作子２ａｃとが当接可能に構成されている。手動操作部２ａ１は、器体１１に支持された状態で、手動操作部２ａ１の背面側がカバー体１１ｂの撓み部１１ｂｒと当接可能としている。スイッチ親器１０は、ユーザが手動操作部２ａ１を押操作すると、手動操作部２ａ１がカバー体１１ｂ側に押される。スイッチ親器１０は、手動操作部２ａ１への押操作により、撓み部１１ｂｒを介して、手動操作部２ａ１が器体１１の内部の操作子２ａｃを押す。スイッチ親器１０は、操作子２ａｃが押されると第１操作スイッチ２ａがオンとなる。スイッチ親器１０は、押圧する力が手動操作部２ａ１からなくなると、手動操作部２ａ１が操作子２ａｃの反力などを受けて元の位置に復帰する構成とすることができる。スイッチ親器１０は、手動操作部２ａ１が元の位置に復帰すると、第１操作スイッチ２ａがオフとなる。第１操作スイッチ２ａは、たとえば、タクタイルスイッチを用いることができる。
【００４１】
スイッチ親器１０は、図３に示すように、化粧蓋部２ｇの表面に突条部２ｇ４を設けている。スイッチ親器１０では、化粧蓋部２ｇの突条部２ｇ４を、ユーザが手動操作部２ａ１を操作するときの目印とすることができる。
【００４２】
スイッチ親器１０は、第１の筒状突起１１ｂｓの少なくとも一部がハンドル部２ｆの貫通孔２ｆ３に挿入されることで、発光ダイオード６ａからの光を外部に効率よく照射させることができる。また、スイッチ親器１０は、外部からの光が器体１１の内部に導入され吸収されることを抑制することができる。そのため、スイッチ親器１０は、発光ダイオード６ａの消灯時において、外光により化粧蓋部２ｇにおける発光ダイオード６ａからの光が出射する部位が暗くなることを抑制することが可能となる。
【００４３】
また、スイッチ親器１０では、図１０に示すように、ハンドル部２ｆは、器体１１側に突出し第１の筒状突起１１ｂｓを囲む第２の筒状突起２ｆｓを備えている。スイッチ親器１０は、手動操作部２ａ１の操作にかかわらず、第２の筒状突起２ｆｓにより第１の筒状突起１１ｂｓからの光が手動操作部２ａ１とカバー体１１ｂとの間で漏えいすることを抑制することが可能となる。これにより、スイッチ親器１０は、発光ダイオード６ａからの光を、より効率よく化粧蓋部２ｇ側に照射させることが可能となる。さらに、スイッチ親器１０では、器体１１は、発光ダイオード６ａを囲むように内部に突出する第３の筒状突起１１ｂｔを備えている。これにより、スイッチ親器１０は、器体１１の内部において、発光ダイオード６ａからの光の拡散を抑制し、効率よく器体１１の外部に発光ダイオード６ａの光を出射させることが可能となる。
【００４４】
スイッチ親器１０では、制御部４は、照明負荷５２が点灯する点灯保持時間を計時するためのタイマ部（図示していない）を内蔵している。制御部４は、点灯保持時間の計時中に熱線センサ部１からセンサ信号が再入力されると、センサ信号が再入力された時点から所定の点灯保持時間後に照明負荷５２を消灯状態にさせるように構成されている。したがって、タイマ部は、センサ信号が再入力された時点から所定の点灯保持時間を計時できるように、リトリガブル・タイマにより構成している。
【００４５】
制御部４は、基本的な動作として、明るさセンサ１ｓの検出した明るさが予め設定された明るさの閾値よりも暗い状態で、熱線センサ部１に入射した熱線の変化に基づいて人体の検知を示すセンサ信号が入力されると、照明負荷５２を点灯させる。なお、明るさの閾値は、たとえば、制御部４のメモリ（図示していない）に記憶させておけばよい。制御部４は、タイマ部が計時した所定の点灯保持時間の間、照明負荷５２の点灯状態を維持するように開閉器５を制御する。
【００４６】
制御部４では、センサ信号である熱線センサ部１の出力が入力される。制御部４は、第１入力判別部２の出力が入力される。制御部４は、信号受信部３の出力が入力される。制御部４は、熱線センサ部１からのセンサ信号に基づいて、予め設定された検知エリア内における人体の存否を検知し、開閉器５を制御する制御信号を出力することができる。制御部４は、たとえば、ＣＰＵ（Central Processing Unit）を備えたマイクロコンピュータなどを用いて構成することができる。
【００４７】
制御部４は、熱線センサ部１からのセンサ信号に応じて照明負荷５２を自動的に点灯状態にさせ、所定の点灯保持時間の経過後に照明負荷５２を消灯させる自動点灯消灯モードを有している。制御部４は、熱線センサ部１からのセンサ信号の有無にかかわらず、照明負荷５２を連続的に点灯させる連続点灯モードを有している。制御部４は、熱線センサ部１からのセンサ信号の有無にかかわらず、照明負荷５２を強制的に消灯させる強制消灯モードを有している。
【００４８】
制御部４は、手動操作部２ａ１への押操作により、連続点灯モード、自動点灯消灯モード、強制消灯モードの各モードを切り替える。制御部４は、各発光ダイオード６ａそれぞれと電気的に接続している。制御部４は、複数個の発光ダイオード６ａの点灯を各モードそれぞれに対応して各別に制御する。発光ダイオード６ａは、たとえば、発光色や点灯状態によって、スイッチ親器１０の各モードを表示可能なモード表示部６を構成している。すなわち、制御部４は、切り替えられた各モードを手動操作部２ａ１に設けたモード表示部６に表示することができる。なお、図４に示すスイッチ親器１０では、連続点灯モードを「連続入」と表示している。また、図４に示すスイッチ親器１０では、自動点灯消灯モードを「自動」と表示している。さらに、図４に示すスイッチ親器１０では、強制消灯モードを「切」と表示している。
【００４９】
なお、スイッチ親器１０は、第１操作スイッチ２ａが操作される度に、連続点灯モードと、自動点灯消灯モードと、強制消灯モードとを切り替える。モード表示部６は、連続点灯モードで「連続入」を表示する。モード表示部６は、自動点灯消灯モードで「自動」を表示する。モード表示部６は、強制消灯モードで「切」を表示する。スイッチ親器１０では、第１操作スイッチ２ａの操作に応じて、「切」、「自動」、「連続入」の順で各モードを遷移させることを繰り返す。
【００５０】
より具体的には、スイッチ親器１０は、強制消灯モードの場合、たとえば、３つの発光ダイオード６ａのうち、短手方向の一方側（図４の紙面の左側）に設けた発光ダイオード６ａが点灯する。スイッチ親器１０は、たとえば、３つの発光ダイオード６ａのうち、短手方向の一方側に設けた発光ダイオード６ａを赤色に点灯させればよい。スイッチ親器１０は、自動点灯消灯モードの場合、たとえば、短手方向の中央部に設けた発光ダイオード６ａが点灯する。スイッチ親器１０は、たとえば、３つの発光ダイオード６ａのうち、短手方向の中央部に設けた発光ダイオード６ａを緑色に点灯させればよい。スイッチ親器１０は、所定の点灯保持時間の間、中央部に設けた発光ダイオード６ａを緑色に点滅させてもよい。スイッチ親器１０は、所定の点灯保持時間の残存時間が少なくなるにつれ、中央部に設けた発光ダイオード６ａの点滅間隔を短くさせてもよい。スイッチ親器１０は、連続点灯モードの場合、たとえば、３つの発光ダイオード６ａのうち、短手方向の他方側（図３の紙面の右側）に設けた発光ダイオード６ａが点灯する。スイッチ親器１０は、たとえば、３つの発光ダイオード６ａのうち、短手方向の他方側の発光ダイオード６ａを青色に点灯させればよい。すなわち、発光ダイオード６ａは、たとえば、赤色発光、緑色発光、青色発光の点灯や点滅の区別により、連続点灯モード、自動点灯消灯モード、強制消灯モードをモード表示部６で表示することができる。
【００５１】
スイッチ親器１０は、手動操作部２ａ１の下側に化粧カバー１ｄを備えている。化粧カバー１ｄは、カバー体１１ｂの開口１１ｂｍに対向する位置に開口窓部１ｄｂを備えている。化粧カバー１ｄは、開口窓部１ｄｂに開口１１ｂｍが対応するように、突台部１１ｂｋが挿通される。化粧カバー１ｄは、手動操作部２ａ１の一表面２ａｂよりも突出する突部１ｄｋを備えている。突部１ｄｋは、突台部１１ｂｋを保護するように、円弧状の形状をしている。
【００５２】
スイッチ親器１０は、熱線センサ部１の検出感度を設定可能な設定操作部７を備えている。設定操作部７は、熱線センサ部１の検出感度を設定可能な機能以外を持たせてもよい。設定操作部７は、自動点灯消灯モードにおける点灯保持時間を設定することができる操作部を備えていてもよい。設定操作部７は、設定操作部７の一部を器体１１の第１表面１１ｂｐに露出させている。器体１１の第１表面１１ｂｐに露出する設定操作部７は、手動操作部２ａ１により覆われている。設定操作部７は、第１設定部７ａと、第２設定部７ｂとを備えている。
【００５３】
第１設定部７ａは、第１設定部７ａを構成するボリュームなどが、第１の回路基板１６ａに実装されている。第１設定部７ａは、たとえば、ボリュームの操作軸を回転できるように第１摘み７ａ１を備えている。第１設定部７ａは、器体１１の第３窓孔１１ｂｈを介して、第１設定部７ａの第１摘み７ａ１を器体１１の第１表面１１ｂｐ側に突出させている。第１設定部７ａは、自動点灯消灯モードにおいて、照明負荷５２を点灯させる点灯保持時間を設定可能に構成している。スイッチ親器１０は、たとえば、３０秒から３０分までの範囲で点灯保持時間を適宜に設定することができる。
【００５４】
第２設定部７ｂは、第２設定部７ｂを構成するロータリボリュームなどが、第１の回路基板１６ａに実装されている。第２設定部７ｂは、たとえば、ロータリボリュームの操作軸を回転できるように第２摘み７ｂ１を備えている。第２設定部７ｂは、器体１１の第４窓孔１１ｂｉを介して、第２設定部７ｂの第２摘み７ｂ１を器体１１の第１表面１１ｂｐ側に突出させている。第２設定部７ｂは、たとえば、明るさセンサ１ｓの明るさ感度レベルを「暗め」から「明るめ」までの範囲で設定することができる。明るさ感度レベルの「暗め」としては、たとえば、５ルクス以下とすることができる。明るさ感度レベルの「明るめ」としては、たとえば、１００ルクス以上とすることができる。
【００５５】
スイッチ親器１０は、たとえば、第２設定部７ｂを「切」に設定すると、明るさセンサ１ｓの機能を停止させることができる。スイッチ親器１０は、第２設定部７ｂを「切」に設定した場合、スイッチ親器１０の周囲が明るいときに宅内の照明負荷５２を点灯させることを防止することが可能となる。スイッチ親器１０は、周囲が明るいときに宅内の照明負荷５２を点灯させることを防止し、省エネルギ化を図ることが可能となる。スイッチ親器１０は、たとえば、第２設定部７ｂで、明るさのしきい値を調整することにより、結果として、熱線センサ部１が人の存在の有無を検知する検出感度が設定されたのと同様の効果を得ることができる。すなわち、スイッチ親器１０では、第２設定部７ｂは、熱線センサ部１の検出感度を設定する設定操作部７を構成する。なお、スイッチ親器１０は、熱線センサ部１の検出感度を直接的に調整して設定する設定操作部７を備えていてもよい。スイッチ親器１０は、たとえば、設定操作部７に基づいて熱線センサ部１で検出した熱線の変化量を増幅する際の増幅度を調整することで、熱線センサ部１の検出感度を直接的に調整することができる。システム３０では、図１５に示す操作子器２０が取付枠１７に取り付けられ、建築物の壁面などの施工面（図示していない）に設置される。操作子器２０は、施工面を構成する造営材に埋込配設される箱体２１を備えている。操作子器２０は、たとえば、第２入力判別部２２と、信号送信部２３と、子器制御部２４とを内部に収納可能な箱体２１を備えた構成とすることができる。箱体２１は、スイッチ親器１０の器体１１の取付爪１１ｂｄと同様の構造とし、取付枠１７に取り付けられるように構成することができる。操作子器２０は、箱体２１の前面を被覆する覆部２２ｇを備えている。覆部２２ｇは、ピアノハンドル式のスイッチを構成する第２操作スイッチ２２ａのピアノハンドルとして用いることができる。
【００５６】
次に、システム３０におけるスイッチ親器１０の動作について、図２を用いて詳述する。
【００５７】
スイッチ親器１０は、自動点灯消灯モードの場合、操作子器２０からの伝達信号が信号受信部３を介して、時刻ｔ１で制御部４に入力されると、制御部４が開閉器５を制御させて照明負荷５２を点灯状態にさせる。スイッチ親器１０では、操作子器２０からの伝達信号を受信してから所定の時間が経過まで、制御部４がタイマ部のカウンタの値を徐々に少なくする。スイッチ親器１０は、タイマ部のカウンタの値が「０」になる時刻ｔ２後、制御部４が開閉器５を制御して照明負荷５２を消灯状態にする。言い換えれば、スイッチ親器１０は、予め設定した時刻ｔ１から時刻ｔ２までの点灯保持時間が経過するまで、照明負荷５２を点灯させる。以下では、時刻ｔ１から時刻ｔ２までの点灯保持時間を第１点灯保持時間とも称する。
【００５８】
なお、スイッチ親器１０は、図示していないが、自動点灯消灯モードの場合、熱線センサ部１からのセンサ信号に基づいて、伝達信号の場合と同様に予め設定した第１点灯保持時間が経過するまで照明負荷５２を点灯状態にさせることもできる。
【００５９】
次に、スイッチ親器１０では、自動点灯消灯モードの場合、時刻ｔ１と同様に、操作子器２０からの伝達信号が信号受信部３を介して、時刻ｔ３で制御部４に入力されると、制御部４が開閉器５を制御させて照明負荷５２を点灯状態にさせる。スイッチ親器１０は、自動点灯消灯モードの場合、熱線センサ部１が熱線の変化を時刻ｔ４で検出すると、熱線センサ部１がセンサ信号を出力する。スイッチ親器１０は、点灯保持時間中に熱線センサ部１からセンサ信号が入力されると、センサ信号が入力された時刻ｔ４から時刻ｔ６までの予め設定した点灯保持時間が経過するまで、照明負荷５２を点灯させる。以下では、時刻ｔ４から時刻ｔ６までの点灯保持時間を第２点灯保持時間とも称する。スイッチ親器１０は、第２点灯保持時間後に開閉器５を制御して照明負荷５２を点灯状態にさせる。図２では、センサ信号の入力に基づいて、制御部４が照明負荷５２を点灯状態にさせる第２点灯保持時間を時刻ｔ４から時刻ｔ６までに設定している。スイッチ親器１０では、第１点灯保持時間と、第２点灯保持時間とを同じ時間間隔としているが、第１点灯保持時間と、第２点灯保持時間と異なる時間間隔に設定してもよい。スイッチ親器１０は、センサ信号をトリガとして点灯保持時間を再度設定している。スイッチ親器１０は、操作子器２０からの伝達信号により制御部４が照明負荷５２を点灯状態にする時刻ｔ３からタイマ部のカウンタの値が「０」になる時刻ｔ５よりも後の時刻ｔ６で、制御部４が開閉器５を制御して照明負荷５２を消灯状態にする。すなわち、スイッチ親器１０は、時刻ｔ３から時刻ｔ５までの点灯保持時間を、時刻ｔ３から時刻ｔ６までに延長しているともいえる。
【００６０】
なお、スイッチ親器１０は、図示していないが、自動点灯消灯モードの場合、熱線センサ部１からのセンサ信号に基づいて、伝達信号の場合と同様に予め設定した第２点灯保持時間が経過するまで照明負荷５２を点灯状態にさせることもできる。
【００６１】
システム３０では、自動点灯消灯モードにおいて、熱線センサ部１の検知エリア外に設けた操作子器２０により、スイッチ親器１０における熱線センサ部１の人の検知の有無にかかわらず、照明負荷５２を点灯保持時間の間、点灯を維持させることが可能となる。また、システム３０は、操作子器２０により照明負荷５２を点灯中において、熱線センサ部１の検知エリアで人を検知して再度設定した点灯保持時間の間、照明負荷５２の点灯を維持させることが可能となる。
【００６２】
システム３０では、スイッチ親器１０における熱線センサ部１の検知エリア内に人がいなくとも、照明負荷５２を点灯させることができる。そのため、システム３０は、たとえば、玄関にスイッチ親器１０が設置されている場合、操作子器２０により照明負荷５２を点灯させて、玄関まで行く途中の廊下が暗い状態のままとなることを抑制することが可能となる。システム３０では、玄関付近にスイッチ親器１０が設置されているときでも、廊下の他端に設けた操作子器２０で照明負荷５２を点灯させることができる。さらに、システム３０では、人が外出するつもりで操作子器２０を操作して照明負荷５２を点灯した後、電話等がかかってきてスイッチ親器１０から離れても、照明負荷５２が点灯状態のままとなることもない。したがって、システム３０は、より省エネルギ化を図ることが可能となる。
【００６３】
システム３０では、たとえば、スイッチ親器１０から離れた人が操作子器２０を操作することで、照明負荷５２への電力の供給と停止とを行うことができる。スイッチ親器１０は、内部の信号受信部３が操作子器２０からの伝達信号を受信し、制御部４が、操作子器２０からの伝達信号に基づき照明負荷５２への電力の供給と停止とを切替える。スイッチ親器１０は、たとえば、自動点灯消灯モードにおいて照明負荷５２へ電力を供給させている場合、熱線センサ部１からのセンサ信号により照明負荷５２への電力の供給を継続することができる。制御部４は、操作子器２０からの伝達信号により照明負荷５２を所定の点灯保持時間の間、点灯状態にさせている場合、熱線センサ部１からのセンサ信号の入力により所定の点灯保持時間を再び新たに計時する。制御部４は、熱線センサ部１からのセンサ信号の入力から所定の点灯時間経過後に照明負荷５２を消灯させることができる。
【００６４】
なお、スイッチ親器１０は、照明負荷５２への電力の供給を入切する開閉器５に加え、換気扇など負荷機器への電力の供給を入切する第２開閉器を備えた構成としてもよい。これにより、スイッチ親器１０は、照明負荷５２とは別途の負荷機器を制御することもできる。
【００６５】
（実施形態２）
図１６に示す本実施形態の熱線センサ付自動スイッチシステム３０は、図１の実施形態１と同様の構成であって、操作子器２０に加えてセンサ子器４０を備えた点が主として相違する。なお、実施形態１と同様の構成要素については、同一の符号を用いて適宜説明を省略する。
【００６６】
システム３０は、図１６に示すように、センサ子器４０を更に備えている。センサ子器４０は、第２熱線センサ部４５と、検出信号送信部４３とを備えている。第２熱線センサ部４５は、人体の存在の有無を検出する。検出信号送信部４３は、第２熱線センサ部４５からの第２センサ信号に基づいてスイッチ親器１０へ検出信号を送信する。
【００６７】
制御部４は、センサ子器４０からの検出信号に応じて照明負荷５２を点灯状態にさせ所定の点灯保持時間の経過後に消灯状態にさせるように開閉器５を制御する。制御部４は、点灯保持時間中に、センサ信号または検出信号が入力されると、センサ信号または検出信号が入力されてから所定の点灯保持時間後に消灯状態にさせるように開閉器５を制御する。
【００６８】
これにより、システム３０は、よりユーザビリティの高くすることが可能となる。
【００６９】
より詳細には、システム３０は、操作子器２０およびセンサ子器４０を、スイッチ親器１０と電気的に接続している。センサ子器４０は、第２熱線センサ部４５と、信号制御部４４と、検出信号送信部４３とを備えている。信号制御部４４は、第２熱線センサ部４５からの第２センサ信号に基づいて検出信号送信部４３を制御する。検出信号送信部４３は、信号制御部４４の制御により、スイッチ親器１０へ検出信号を送信する。センサ子器４０は、有線で検出信号をスイッチ親器１０へ送信してもよいし、無線で検出信号をスイッチ親器１０へ送信してもよい。
【００７０】
システム３０では、スイッチ親器１０の熱線センサ部１における検知エリア外の位置にセンサ子器４０を設けることが好ましい。センサ子器４０は、第２熱線センサ部４５の検出エリアで人を検出した場合、信号制御部４４が検出信号送信部４３を制御して検出信号を出力する。スイッチ親器１０は、信号受信部３がセンサ子器４０からの検出信号を受信し、信号受信部３と電気的に接続された制御部４がセンサ子器４０からの検出信号に基づき照明負荷５２を点灯状態とすることができるように構成している。
【００７１】
スイッチ親器１０は、たとえば、自動点灯消灯モードにおいて照明負荷５２への電力の供給を停止させている場合、センサ子器４０からの検出信号により照明負荷５２へ電力の供給を行うことができる。すなわち、スイッチ親器１０の制御部４は、自動点灯消灯モードにおいて、センサ子器４０からの検出信号により照明負荷５２を点灯させる。制御部４は、センサ子器４０からの検出信号により照明負荷５２を点灯させてから所定の点灯保持時間の経過後に消灯する。また、制御部４は、センサ子器４０からの検出信号により照明負荷５２を所定の点灯保持時間の間、点灯状態にさせている場合、熱線センサ部１からのセンサ信号の入力により所定の点灯保持時間を再び新たに計時する。制御部４は、熱線センサ部１からのセンサ信号の入力から所定の点灯時間経過後に照明負荷５２を消灯させることができる。なお、スイッチ親器１０では、信号受信部３が信号電圧の違いで操作子器２０からの伝達信号とセンサ子器４０からの検出信号とを判別できるように構成している。
【００７２】
システム３０では、図１７に示すセンサ子器４０が取付枠１７に取り付けられ、建築物の壁面などの施工面（図示していない）に設置される。センサ子器４０は、施工面を構成する造営材に埋込配設される箱部４６を備えている。
【００７３】
センサ子器４０は、たとえば、第２熱線センサ部４５と、検出信号送信部４３と、信号制御部４４とを内部に収納可能な箱部４６を備えた構成とすることができる。箱部４６は、スイッチ親器１０の器体１１の取付爪１１ｂｄと同様の構造とし、取付枠１７に取り付けられるように構成することができる。センサ子器４０は、箱部４６の前面を被覆する第１被覆部４７ａを備えている。センサ子器４０は、第２熱線センサ部４５を、スイッチ親器１０の熱線センサ部１と同様の構成としている。第２熱線センサ部４５は、熱線センサ部１のシャッター１ｂに対応する遮蔽板４５ｂを備えている。センサ子器４０は、箱部４６の寸法を埋込型配線器具の１個のモジュールの２個分に相当する１連モジュールの大きさとしている。そのため、センサ子器４０の上側には、センサ子器４０が取付枠１７に取り付けられた状態で、第１窓孔１７ａａを塞ぐ第２被覆部４７ｂを備えている。なお、システム３０は、実施形態１の構成要素を適宜に利用してもよい。
【符号の説明】
【００７４】
１  熱線センサ部
２  第１入力判別部
２ａ  第１操作スイッチ
３  信号受信部
４  制御部
５  開閉器
１０  熱線センサ付自動スイッチ
２０  操作子器
２２  第２入力判別部
２２ａ  第２操作スイッチ
２３  信号送信部
３０  熱線センサ付自動スイッチシステム
４０  センサ子器
４３  検出信号送信部
４５  第２熱線センサ部
５２  照明負荷
【図１】
2015164107.tif 000003
【図２】
2015164107.tif 000004
【図３】
2015164107.tif 000005
【図４】
2015164107.tif 000006
【図５】
2015164107.tif 000007
【図６】
2015164107.tif 000008
【図７】
2015164107.tif 000009
【図８】
2015164107.tif 000010
【図９】
2015164107.tif 000011
【図１０】
2015164107.tif 000012
【図１１】
2015164107.tif 000013
【図１２】
2015164107.tif 000014
【図１３】
2015164107.tif 000015
【図１４】
2015164107.tif 000016
【図１５】
2015164107.tif 000017
【図１６】
2015164107.tif 000018
【図１７】
2015164107.tif 000019